(57)【特許請求の範囲】
【請求項１】
調整可能な回路部品を有するプリント基板を覆っている端子板カバーにおいて、前記回路部品を調整する調整棒を挿入するための貫通穴が前記端子板カバーに複数個形成されており、前記調整棒を完全に引き抜くことなく前記貫通穴間を移動させることができるように、前記貫通穴が互いに前記端子板カバーに形成された案内溝で繋がれていることを特徴とする端子板カバー。
【請求項２】
前記端子板カバーが絶縁性材料を用いて形成されている請求項１記載の端子板カバー。
【請求項３】
前記複数個の貫通穴が、十字型、一字型、Ｚ字型もしくはロ字型、またはこれらの型を２つ以上組み合わせた形状の案内溝で繋がれている請求項１または２記載の端子板カバー。
【請求項４】
前記複数個の貫通穴がロ字型の案内溝で繋がれており、各対角位置の貫通穴が一字型の案内溝で繋がれている請求項１または２記載の端子板カバー。
【請求項５】
前記案内溝に、調整棒の位置を把握することができる基準位置部が形成されている請求請１から４のいずれか１項に記載の端子板カバー。
【請求項６】
前記基準位置部が、前記案内溝よりも一段低い凹形状である請求項５記載の端子板カバー。
【請求項７】
前記基準位置部が、前記案内溝よりも一段高い凸形状である請求項５記載の端子板カバー。
【請求項８】
前記案内溝に、アーチ形状部が形成されている請求項１から７のいずれか１項に記載の端子板カバー。
【請求項９】
請求項１から８のいずれか１項に記載の端子板カバーを用いたことを特徴とする受像管装置。
【請求項１０】
請求項１から８のいずれか１項に記載の端子板カバーを有するプリント基板を搭載した偏向ヨークを用いて構成されることを特徴とする受像管装置。
【請求項１１】
電子銃をネック部の内側に有する陰極線管と、水平偏向磁界を発生させる水平偏向コイルと垂直偏向磁界を発生させる垂直偏向コイルとを有する偏向ヨークとを用いて構成される受像管装置において、ミスコンバーゼンスを補正するための補正回路が前記偏向ヨークに搭載されているプリント基板上に設けられ、前記補正回路が調整可能な回路部品を用いて構成され、前記プリント基板が端子板カバーで覆われており、前記補正回路の回路部品を調整する調整棒を挿入するための貫通穴が前記端子板カバーに複数個形成され、前記調整棒を完全に引き抜くことなく前記貫通穴間を移動させることができるように、前記貫通穴が互いに前記端子板カバーに形成された案内溝で繋がれていることを特徴とする受像管装置。
【発明の詳細な説明】
【０００１】
【発明の属する技術分野】
本発明は、テレビジョンやプリンター等の電気機器に設けられるプリント基板に搭載される端子板カバーに関し、詳しくは、受像管装置を構成している偏向ヨークに搭載されるプリント基板を覆う端子板カバーに関するものである。
【０００２】
【従来の技術】
例えば、受像管に装着されている偏向ヨークには、磁界分布設計上生じる残留ミスコンバーゼンス、コイル巻線時のばらつき、偏向ヨーク部品間の加工誤差、あるいはＣＲＴ（Ｃａｔｈｏｄｅ  Ｒａｙ  Ｔｕｂｅ）と偏向ヨーク（ＤＹ：Ｄｅｆｌｅｃｔｉｏｎ  Ｙｏｋｅ）とを組み合わせて合わせ込む調整（Ｉｎｔｅｇｒａｔｅｄ  ｔｕｂｅ  ｃｏｍｐｏｎｅｎｔｓ  ｓｙｓｔｅｍ，以降これを「ＩＴＣ調整」という）時の誤差等のために発生したミスコンバーゼンスを主として補正を行うための補正回路が、プリント基板上に設けられている。この補正回路は、可変抵抗器等を用いて構成されている。
【０００３】
前記プリント基板上には、このプリント基板上の端子に作業者の手等が直接触れないようにして作業者の保護あるいは部品（素子および端子等）の安全性等を確保するために、樹脂等の絶縁性材料を用いて形成された端子板カバーが装着されている。そして、プリント基板上の補正回路を構成している可変抵抗器の上方部分の端子板カバーには、可変抵抗器を調整するための調整用の棒（以下「調整棒」という）等を端子板カバーの外から入れることができるように、貫通穴が設けられている。
【０００４】
図１１に示すように、通常、貫通穴７は、調整棒が直接可変抵抗器の真上から外れずに、調整棒がスムーズに可変抵抗器の調整部６に導かれるように、可変抵抗器の調整部６の個々に対してそれぞれ独立に設けられている。また、複数（この従来技術においては２つ）の可変抵抗器の調整部６が近接しているときには、可変抵抗器の調整部６の上方全域をオープン状態にしてつなげて細長い空間とした貫通穴７を端子板カバーに設ける場合もある。
【０００５】
【発明が解決しようとする課題】
しかしながら、上記従来の技術において、可変抵抗器の個々の調整部に対してそれぞれ独立に設けられた貫通穴については、その形状がすべてほぼ同様の円形状であるため、可変抵抗器の調整を行う際に、貫通穴の位置、配置および位置関係が正確に特定できない。したがって、次の貫通穴に調整棒を挿入する場合には、調整棒をいったん抜き取った後に、新たに次の貫通穴を探さなければならず、次の貫通穴の位置を求めるのに時間がかかってしまうという問題があった。
【０００６】
また、近接する調整部の上方全域をオープン状態にしてつなげて細長い空間とした貫通穴としても、複数個の可変抵抗器の調整部の中で、目的の調整部にぴったり調整棒をもってくるのは困難であるため、目的の可変抵抗器の調整部から逸脱しがちであり、調整しにくいものであった。
【０００７】
本発明は、このような課題を解決するためになされたもので、調整棒を完全に貫通穴から引き抜くことなく、貫通穴間の調整棒のスムーズな移動ができるとともに、目視の確認を必要としないで他の貫通穴の位置を確認し特定して、貫通穴同士の所在位置を容易に特定することができる端子板カバーおよびこれを用いて構成されたカラー受像管装置を提供することを目的とする。
【０００８】
【課題を解決するための手段】
上記目的を達成するための本発明は、調整可能な回路部品を有するプリント基板を覆っている端子板カバーにおいて、前記回路部品を調整する調整棒を挿入するための貫通穴が前記端子板カバーに複数個形成されており、前記貫通穴が互いに案内溝で繋がれていることを特徴とする。
【０００９】
このような構成としたことにより、一つの貫通穴に調整棒を入れた後、案内溝にしたがって調整棒を沿わせていくだけで、他の貫通穴の位置を探り当てることができる。つまり、調整棒の当たり位置および調整棒を案内溝上で移動させることにより、調整棒が、今どの位置にあるのかを推測することが可能となるため、前記回路部品の調整作業を容易に行うことができる。
【００１０】
また、本発明においては、前記端子板カバーが絶縁性材料を用いて形成されていることが好ましい。こうすることにより、作業者の保護あるいは部品（素子および端子等）の安全性等を確保することができる。
【００１１】
さらに、本発明においては、前記端子板カバーに形成された複数個の貫通穴が、十字型の案内溝で繋がれていること、一字型の案内溝で繋がれていること、Ｚ字型の案内溝で繋がれていること、ロ字型の案内溝で繋がれていることことが好ましく、また、これらの型を２つ以上組み合わせた形状の案内溝で繋がれていることも好ましい。さらに、ロ字型の案内溝で繋がれるとともに各対角位置の貫通穴が一字型の案内溝で繋がれていることも好ましい。
【００１２】
また、本発明に係る端子板カバーにおいては、前記複数個の貫通穴を繋ぐ案内溝に、調整棒の位置を把握することができる基準位置部が形成されていることが好ましい。かかる構成によれば、このような基準位置部を設けたことにより、基準となる位置を把握するための目視の確認が不必要となる。したがって、前記回路部品の調整作業中における調整棒の位置等を確認することが容易となるため、調整作業に要する時間をさらに短縮することができる。
【００１３】
さらに、本発明においては、前記基準位置部が、前記案内溝よりも一段低い凹形状であることが好ましく、前記基準位置部が、前記案内溝よりも一段高い凸形状であることも好ましい。
【００１４】
また、本発明に係る端子板カバーにおいては、前記案内溝に、アーチ形状部が形成されていることが好ましい。このような構成としたことにより、前記回路部品の調整作業中における調整棒の移動が、よりスムーズになる。
【００１５】
さらに、上記目的を達成するための本発明に係る受像管装置は、以上に説明した構成を有する端子板カバーを用いて構成されていることを特徴としており、また、前記端子板カバーを有するプリント基板を搭載した偏向ヨークを用いて構成されていることを特徴とする。
【００１６】
さらに、本発明に係る受像管装置は、電子銃をネック部の内側に有する陰極線管と、水平偏向磁界を発生させる水平偏向コイルと垂直偏向磁界を発生させる垂直偏向コイルとを有する偏向ヨークとを用いて構成される受像管装置において、ミスコンバーゼンスを補正するための補正回路が前記偏向ヨークに搭載されているプリント基板上に設けられ、前記補正回路が調整可能な回路部品を用いて構成され、前記プリント基板が端子板カバーで覆われており、前記補正回路の回路部品を調整する調整棒を挿入するための貫通穴が前記端子板カバーに複数個形成され、前記貫通穴が互いに案内溝で繋がれていることを特徴とする。なお、この案内溝は、基本的には底面と側面とを有する断面Ｕ字形状の案内溝であるが、これに限らず、例えば、断面Ｖ字形状の案内溝であってもよい。
【００１７】
このような構成としたことにより、一つの貫通穴に調整棒を入れた後、案内溝にしたがって調整棒を沿わせていくだけで、他の貫通穴の位置を探り当てることができる。つまり、調整棒の当たり位置および調整棒を案内溝上で移動させることにより、調整棒が、今どの位置にあるのかを推測することが可能となるため、ＣＲＴ越しに偏向ヨークを覗きこむことなく、手探りの状態であっても、ＩＴＣ調整等の作業を容易に行うことができる。
【００１８】
【発明の実施の形態】
以下、本発明の実施形態について図面を用いて説明する。
【００１９】
図９は、本発明の実施形態に係るカラー受像管装置の概略的な構成図を示している。この図９に示すように、本実施形態に係るカラー受像管装置は、インライン型電子銃１を有する陰極線管２と、セルフコンバーゼンス方式の偏向ヨーク３とを用いて構成されており、このセルフコンバーゼンス方式の偏向ヨーク３には、その付属回路を搭載するためのプリント基板４が設けられている。
【００２０】
図１０は、図９に示されたセルフコンバーゼンス方式の偏向ヨーク３、およびこのセルフコンバーゼンス方式の偏向ヨーク３に搭載されているプリント基板４の概略的な構成図を示したものである。プリント基板４には、このプリント基板４に搭載された素子や端子を保護するために、素子や端子を覆うように、端子板カバー５が装着されている。この端子板カバー５は、例えば、樹脂等の絶縁性材料を用いて形成されていることが好ましい。
【００２１】
また、プリント基板４上には、ミスコンバーゼンスを補正するための補正回路が設けられており、この補正回路は、調整可能な回路部品である可変抵抗器等を用いて構成されている。そして、端子板カバー５には、補正回路を構成している可変抵抗器の調整部６を操作する（ＩＴＣ調整を行う）際における調整棒を通すための貫通穴７が設けられている。この貫通穴７は、図１０からも明らかなように、可変抵抗器の調整部６の真上にあたる部分の端子板カバー５に設けられている。
【００２２】
上記端子板カバー５に設けられている貫通穴７は、それぞれ案内溝を用いて互いに繋がれた構成となっている。そのために、一つの貫通穴７に調整棒を入れた後、案内溝にしたがって調整棒を沿わせていくだけで、他の貫通穴７の位置を容易に探り当てることができる。
【００２３】
以下、本発明の実施形態に係るカラー受像管装置を構成する端子板カバーの具体的な構成について、図面を用いて説明する。
【００２４】
図１は、本発明の第一の実施形態に係る端子板カバーの平面図を示したものである。本実施形態に係る端子板カバーにおいては、上述したように、それぞれの可変抵抗器の調整部６の真上に設けられた貫通穴７が、案内溝１０を用いて互いに繋がれた構成となっている。
【００２５】
かかる構成の端子板カバーを用いて偏向ヨークを構成すれば、ＩＴＣ調整を行う場合において、一つの貫通穴７に調整棒を入れた後、案内溝１０にしたがって調整棒を沿わせていくだけで、他の貫通穴７の位置を探り当てることができる。つまり、調整棒の当たり位置および調整棒を案内溝１０上で移動させることにより、調整棒が、今どの位置にあるのかを推測することが可能となるため、ＣＲＴ越しに偏向ヨークを覗きこむことなく、手探りの状態であっても、ＩＴＣ調整等の作業を容易に行うことができる。
【００２６】
図２は、本発明の第二の実施形態に係る端子板カバーの平面図を示したものである。本実施形態に係る端子板カバーにおいては、端子板カバーに形成された４つの貫通穴７が、十字型の案内溝１０で繋がれた構成となっている。
【００２７】
図３は、本発明の第三の実施形態に係る端子板カバーの平面図を示したものである。本実施形態に係る端子板カバーにおいては、端子板カバーに形成された２つの貫通穴７が、一字型の案内溝１０で繋がれた構成となっている。
【００２８】
図４は、本発明の第四の実施形態に係る端子板カバーの平面図を示したものである。本実施形態に係る端子板カバーにおいては、端子板カバーに形成された４つの貫通穴７が、Ｚ字型の案内溝１０で繋がれた構成となっている。
【００２９】
図５は、本発明の第五の実施形態に係る端子板カバーの平面図を示したものである。本実施形態に係る端子板カバーにおいては、端子板カバーに形成された４つの貫通穴７が、ロ字型の案内溝１０で繋がれた構成となっている。
【００３０】
図６は、本発明の第六の実施形態に係る端子板カバーの平面図を示したものである。本実施形態に係る端子板カバーにおいては、端子板カバーに形成された４つの貫通穴７がロ字型の案内溝１０で繋がれ、さらに各対角の位置の貫通穴７が一字型の案内溝１０で繋がれた構成となっている。
【００３１】
以上の第二の実施形態から第六の実施形態に係る端子板カバーにおいても、第一の実施形態と同様に、ＩＴＣ調整を行う場合においては、一つの貫通穴７に調整棒を入れた後、案内溝１０にしたがって調整棒を沿わせていくだけで、他の貫通穴７の位置を探り当てることができるので、調整棒の当たり位置および調整棒を案内溝１０上で移動させることにより、調整棒が、今どの位置にあるのかを推測することが可能となる。さらに、案内溝１０の形状が、十字型、一字型、Ｚ字型またはロ字型等の分かりやすい形であればあるほど、上記推測は容易となる。したがって、ＣＲＴ越しに偏向ヨークを覗きこむことなく、手探りの状態であっても、ＩＴＣ調整等の作業を容易に行うことができる。
【００３２】
図７は、本発明の第二の実施形態に係る端子板カバーを例にとって、端子板カバーに形成されている案内溝１０の構造を示したものである。図７のＡ−Ａ断面を示す図は、案内溝１０の長手方向の軸で切断した場合の断面図であり、Ｂ−Ｂ断面を示す図は、案内溝１０の長手方向の軸に垂直な方向で切断した場合の断面図である。
【００３３】
図７のＢ−Ｂ断面を示す図から明らかなように、案内溝１０の断面形状は、例えばＵ字形状であることが好ましい。しかしながら、本発明はこの形状に限定されるものではなく、Ｖ字形状およびＷ字形状等でもよく、その断面形状は特に何等かの形に制限されるものではない。
【００３４】
図８は、本発明の他の実施形態に係る端子板カバーを示したものであり、具体的には、第二の実施形態に係る端子カバーを例にとって、案内溝１０に何等かの工夫を凝らした場合の実施形態を示したものである。
【００３５】
図８（ａ）は、貫通穴７を繋ぐ案内溝１０の特定の位置（本実施形態においては案内溝１０の交差している位置）に、案内溝１０よりも一段低い凹形状の基準位置部８を設けた端子板カバーを示している。
【００３６】
本実施形態においては、このような基準位置部８を設けたことにより、基準となる位置を把握するための目視の確認が不必要となる。したがって、ＩＴＣ調整の作業中における調整棒の位置等を確認することが容易となるため、ＩＴＣ調整に要する作業時間を短縮することができる。
【００３７】
図８（ｂ）は、貫通穴７を繋ぐ案内溝１０の特定の位置（本実施形態においては案内溝１０の交差している位置）に、案内溝１０よりも一段低い凹形状であり、この凹形状の底部のほぼ中央に貫通孔を有する基準位置部８を設けた端子板カバーを示している。
【００３８】
本実施形態においては、このような基準位置部８を設けたことにより、基準となる位置を把握するための目視の確認が不必要となる。したがって、ＩＴＣ調整の作業中における調整棒の位置等を確認することが容易となるため、ＩＴＣ調整に要する作業時間を短縮することができる。また、このような構成としたことにより、調整棒を直立して立たせておくことができ、一連の調整作業の後、再び調整作業を行う時等に非常に有効である。
【００３９】
図８（ｃ）は、貫通穴７を繋ぐ案内溝１０がアーチ形状部９を有する端子板カバーを示している。本実施形態においては、このような構成としたことにより、ＩＴＣ調整の作業中における調整棒の移動が、よりスムーズになる。また、このような構成としたことにより、貫通穴７への導入がより正確になり、貫通穴７へ調整棒を入れる時の不用な力を抑制することができ、可変抵抗器や調整棒の破損を防ぐことができる。
【００４０】
また、本実施形態においては、アーチ形状部９の適当な位置に基準位置部を設けてもよい。そうすれば、ＩＴＣ調整の作業中における調整棒の位置等を確認することが容易となるため、ＩＴＣ調整に要する作業時間を短縮することができる。
【００４１】
なお、本実施形態においては、基準位置部８を案内溝１０の交差している位置に一つだけ設ける場合について説明したが、本発明はこれに限定されるものではなく、適宜適当な位置に二つ以上設けてもよい。
【００４２】
また、本実施形態においては、第二の実施形態の端子板カバーに基準位置部８およびアーチ形状部９を設けた場合について説明したが、本発明はこれに限定されるものではなく、第一の実施形態および第三の実施形態〜第六の実施形態に係る端子板カバーに、基準位置部８およびアーチ形状部９を設けてもよい。
【００４３】
さらに、本実施形態においては、案内溝１０よりも一段低い凹形状の基準位置部８を設けた場合について説明したが、本発明はこれに限定されるものではなく、例えば、案内溝１０よりも一段高い凸形状の基準位置部を設けてもよい。また、この基準位置部の高低および形状は、特に制限されるものではなく、案内溝１０および貫通穴７との区別が可能であれば、適宜適当な高低および形状とすることができる。
【００４４】
また、本発明の各実施形態においては、端子板カバーに形成されている案内溝１０が、直線状のものである場合について説明したが、本発明はこれに限定されるものではなく、例えば、曲線状であってもよい。
【００４５】
なお、以上の各実施形態においては、本発明に係る端子板カバーをカラー受像管装置に用いる場合について説明したが、本発明はこれに限定されるものではなく、例えば、白黒受像装置、プリンター等の、プリント基板が搭載されている電気機器に対して、本発明に係る端子板カバーを用いてもよい。
【００４６】
【発明の効果】
以上説明したように、本発明によれば、調整棒を完全に貫通穴から引き抜くことなく、貫通穴間の調整棒のスムーズな移動ができるとともに、目視の確認を必要としないで他の貫通穴の位置を確認し特定して、貫通穴同士の所在位置を容易に特定することができる端子板カバーおよびこの端子板カバーを有する偏向ヨークを用いて構成されたカラー受像管装置を提供することができる。
【００４７】
具体的には、ＤＹミスコンバーゼンス調整中あるいはＩＴＣ調整時において、調整棒を使って可変抵抗器を調整する際に、端子板カバーの上をのぞき込むことなく、端子板カバーさえ手さぐりで探せれば、貫通穴および案内溝路を伝うだけで可変抵抗器の位置を確認でき、また、一度貫通穴に挿入してしまえば、目視確認の必要もなく案内溝に沿って次の可変抵抗器の位置を探りあてることができるため、ＩＴＣ調整の作業時間の短縮が可能となり、本発明が実施されない場合と比較して、ＩＴＣ調整スピードが１．５倍以上早くなり、カラー受像管製作工数コストも２０％削減できる。
【００４８】
また、基準位置部を有することにより、基準となる位置を目視の確認の必要なしに把握できるようになる。さらに、アーチ形状部を有することにより、貫通穴と貫通穴との間、あるいは貫通穴と基準位置部との間の、ＩＴＣ調整の作業中における調整棒の移動が、よりスムーズとなる。
【図面の簡単な説明】
【図１】本発明の第一の実施形態に係る端子カバーの平面図
【図２】本発明の第二の実施形態に係る端子カバーの平面図
【図３】本発明の第三の実施形態に係る端子カバーの平面図
【図４】本発明の第四の実施形態に係る端子カバーの平面図
【図５】本発明の第五の実施形態に係る端子カバーの平面図
【図６】本発明の第六の実施形態に係る端子カバーの平面図
【図７】本発明の第二の実施形態に係る端子カバーを例にとって、端子カバーに形成されている案内溝の構造を説明するための端子カバーの平面図および断面図
【図８】本発明の他の実施形態に係る端子板カバーの平面図および断面図
【図９】カラー受像管装置の概略的な構成図
【図１０】図９のカラー受像管装置を構成する偏向ヨークおよび偏向ヨークに搭載されたプリント基板の概略的な構成図
【図１１】従来技術に係る端子板カバーの平面図
【符号の説明】
１    インライン型電子銃
２    陰極線管
３    偏向ヨーク
４    プリント基板
５    端子板カバー
６    可変抵抗器の調整部
７    貫通穴
８    基準位置部
９    アーチ形状部
１０    案内溝
【図１】
0003822837.tif 000002
【図２】
0003822837.tif 000003
【図３】
0003822837.tif 000004
【図４】
0003822837.tif 000005
【図５】
0003822837.tif 000006
【図６】
0003822837.tif 000007
【図７】
0003822837.tif 000008
【図８】
0003822837.tif 000009
【図９】
0003822837.tif 000010
【図１０】
0003822837.tif 000011
【図１１】
0003822837.tif 000012